(57)【要約】【課題】飲料に混じった例えば茶葉等の固形物を濾過して、純粋な飲料のみを飲むことができる濾過器付きコップ蓋を提供する。【解決手段】コップ１１に被せる蓋１０であって、一方に空気抜き孔１６を、他方に複数の小孔１８を有する濾過部１７が設けられている。そして、濾過部１７を構成するそれぞれの小孔１８の周縁の一部又は全部の裏面側に目詰まり防止用突起１９が設けられ、お茶や紅茶等の葉によって小孔１８が閉塞するのを防止する。【選択図】        図１
2004238037.tif 000002
【特許請求の範囲】
【請求項１】
コップに被せる蓋であって、一方に空気抜き孔を、他方に複数の小孔を有する濾過部が設けられていることを特徴とする濾過器付きコップ蓋。
【請求項２】
請求項１記載の濾過器付きコップ蓋において、それぞれの前記小孔の周縁の一部には、裏面側に目詰まり防止用突起が設けられていることを特徴とする濾過器付きコップ蓋。
【請求項３】
請求項１記載の濾過器付きコップ蓋において、それぞれの前記小孔の周縁の全部には、裏面側に目詰まり防止用突起が設けられていることを特徴とする濾過器付きコップ蓋。
【請求項４】
請求項２及び３のいずれか１項に記載の濾過器付きコップ蓋において、前記目詰まり防止用突起は、前記小孔を打ち抜いた小片からなることを特徴とする濾過器付きコップ蓋。
【請求項５】
請求項１記載の濾過器付きコップ蓋において、前記小孔とは別に、該各小孔の間に目詰まり防止用突起が設けられていることを特徴とする濾過器付きコップ蓋。
【請求項６】
請求項１記載の濾過器付きコップ蓋において、前記濾過部は貫通孔からなる飲み口の内側に取付けられた螺旋状物からなることを特徴とする濾過器付きコップ蓋。
【請求項７】
請求項１〜６のいずれか１項に記載の濾過器付きコップ蓋において、前記コップの上端に嵌入してシールを行う環状装着部と、該環状装着部の直内側にある環状突出部とを有し、前記空気抜き孔は、前記環状突出部の一方に、前記濾過部は、前記環状突出部の他方に設けられていることを特徴とする濾過器付きコップ蓋。
【請求項８】
請求項７記載の濾過器付きコップ蓋において、前記濾過部がある側の前記環状突出部の側壁は内側に窪んだ堰部が設けられていることを特徴とする濾過器付きコップ蓋。
【請求項９】
請求項１〜６のいずれか１項に記載の濾過器付きコップ蓋において、前記濾過部は、前記コップの上端に嵌入してシールを行う環状装着部の内側に突出して設けられていることを特徴とする濾過器付きコップ蓋。
【請求項１０】
請求項９記載の濾過器付きコップ蓋において、前記濾過部は前記環状装着部の内側に偏心して設けられていることを特徴とする濾過器付きコップ蓋。
【請求項１１】
コップに被せ、しかも上部に飲み口を有する蓋本体と、該蓋本体の直下部にあるフィルター部材とを有することを特徴とする濾過器付きコップ蓋。
【請求項１２】
請求項１１記載の濾過器付きコップ蓋において、前記蓋本体及び前記フィルター部材の双方は周囲に、前記コップの上端に装着される環状装着部をそれぞれ有することを特徴とする濾過器付きコップ蓋。
【請求項１３】
請求項１１記載の濾過器付きコップ蓋において、前記蓋本体の周囲には前記コップの上端に装着される環状装着部を有し、前記フィルター部材は、前記蓋本体に取付けられていることを特徴とする濾過器付きコップ蓋。
【請求項１４】
請求項７〜１０並びに請求項１２及び１３のいずれか１項に記載の濾過器付きコップ蓋において、前記環状装着部には、前記コップの上端に外側に折り返して形成されたカール部を掛止するロック機構が形成されていることを特徴とする濾過器付きコップ蓋。
【発明の詳細な説明】
【０００１】
【発明の属する技術分野】
本発明は、例えば、紙製又はプラスチック製のコップを用いて緑茶や紅茶等を入れる場合に、最適に使用できる濾過器付きコップ蓋に関する。
【０００２】
【従来の技術】
紙製又はプラスチック製のコップに対しては、例えば、特許文献１に記載のように、蓋を被せることが知られており、これによって、内部の飲料の冷えるのを防止すると共に、内容物が容易に零れるのを防止している。
また、特許文献２や特許文献３には、コップの蓋に飲み口を設けたものも提案されている。
【０００３】
【特許文献１】
特開２００２−２８４２０６号公報（図１〜図３）
【特許文献２】
特開２００２−２４０８４１号公報（図４〜図５）
【特許文献３】
登録実用新案３０３６４４４号公報（図１〜図３）
【０００４】
【発明が解決しようとする課題】
しかしながら、特許文献１記載のコップ蓋、特許文献２記載のコップ用蓋及び特許文献３記載の飲用蓋付きコップにおいては、蓋の一部に開口部が設けられ、この部分から内部の飲料物を飲むことは可能であるが、飲料がお茶や紅茶の場合には、茶葉が飲料に混じる。ここで、パックに入った状態の茶葉をコップに入れれば、茶葉が飲料に混じることはないが、茶葉の量は人によって好みがあり、更に、パックに入った茶葉はその種類も限定されて、お茶好きの人の要望には応じられないという問題がある。また、パックに入ったお茶は、パック自体の臭いが付着して美味しくないという問題もあった。
【０００５】
このような問題は、単に紅茶やお茶だけでなく、煎じて飲用するものや、固形状物が混じる飲料に共通に発生する問題であった。
本発明はかかる事情に鑑みてなされたもので、飲料に混じった例えば茶葉等の固形物を濾過して、純粋な飲料のみを飲むことができる濾過器付きコップ蓋を提供することを目的とする。
【０００６】
【課題を解決するための手段】
前記目的に沿う第１の発明に係る濾過器付きコップ蓋は、コップに被せる蓋であって、一方に空気抜き孔を、他方に複数の小孔を有する濾過部が設けられている。これによって、飲料中に入っている固形状物（例えば、茶葉）を除去できる。
【０００７】
また、第２の発明に係る濾過器付きコップ蓋は、第１の発明に係る濾過器付きコップ蓋において、それぞれの前記小孔の周縁の一部には、裏面側に目詰まり防止用突起が設けられている。そして、第３の発明に係る濾過器付きコップ蓋は、第１の発明に係る濾過器付きコップ蓋において、それぞれの前記小孔の周縁の全部には、裏面側に目詰まり防止用突起が設けられている。これによって、飲料中の固形状物が目詰まり防止用突起に引っ掛かり、小孔の閉塞を防止する。
【０００８】
第４の発明に係る濾過器付きコップ蓋は、第２及び第３の発明に係る濾過器付きコップ蓋において、前記目詰まり防止用突起は、前記小孔を打ち抜いた小片からなる。これによって、簡単に小孔と目詰まり防止用突起とを形成できる。
【０００９】
第５の発明に係る濾過器付きコップ蓋は、第１の発明に係る濾過器付きコップ蓋において、前記小孔とは別に、該各小孔の間に目詰まり防止用突起が設けられている。これによって、固形状物が目詰まり防止用突起に引っ掛かり、小孔の閉塞を防止できる。
【００１０】
第６の発明に係る濾過器付きコップ蓋は、第１の発明に係る濾過器付きコップ蓋において、前記濾過部は貫通孔からなる飲み口の内側に取付けられた螺旋状物からなる。この螺旋状物に茶葉等の固形状物が引っ掛かり、飲み口から出るのを防止する。なお、ここで、飲み口には単に口を付けて飲む口の他に、注ぎ口を含む。
【００１１】
第７の発明に係る濾過器付きコップ蓋は、第１〜第６の発明に係る濾過器付きコップ蓋において、前記コップの上端に嵌入してシールを行う環状装着部と、該環状装着部の直内側にある環状突出部とを有し、前記空気抜き孔は、前記環状突出部の一方に、前記濾過部は、前記環状突出部の他方に設けられている。
第８の発明に係る濾過器付きコップ蓋は、第７の発明に係る濾過器付きコップ蓋において、前記濾過部がある側の前記環状突出部の側壁は内側に窪んだ堰部が設けられている。これによって、飲料より比重の大きい固形状物は、堰部に引っ掛かって、小孔がこの固形状物によって塞がれるのを防止できる。
【００１２】
そして、第９の発明に係る濾過器付きコップ蓋は、第１〜第６の発明に係る濾過器付きコップ蓋において、前記濾過部は、前記コップの上端に嵌入してシールを行う環状装着部の内側に突出して設けられている。
第１０の発明に係る濾過器付きコップ蓋は、第９の発明に係る濾過器付きコップ蓋において、前記濾過部は前記環状装着部の内側に偏心して設けられている。
【００１３】
第１１の発明に係る濾過器付きコップ蓋は、コップに被せ、しかも上部に飲み口を有する蓋本体と、該蓋本体の直下部にあるフィルター部材とを有する。ここで、フィルターはメッシュの他、不織布からなるものを含む。
第１２の発明に係る濾過器付きコップ蓋は、第１１の発明に係る濾過器付きコップ蓋において、前記蓋本体及び前記フィルター部材の双方は周囲に、前記コップの上端に装着される環状装着部をそれぞれ有する。
【００１４】
第１３の発明に係る濾過器付きコップ蓋は、第１１の発明に係る濾過器付きコップ蓋において、前記蓋本体の周囲には前記コップの上端に装着される環状装着部を有し、前記フィルター部材は、前記蓋本体に取付けられている。
そして、第１４の発明に係る濾過器付きコップ蓋は、第７〜第１０並びに第１２及び第１３の発明に係る濾過器付きコップ蓋において、前記環状装着部には、前記コップの上端に外側に折り返して形成されたカール部を掛止するロック機構が形成されている。これによって、蓋を確実にコップに固定することができる。
【００１５】
【発明の実施の形態】
続いて、添付した図面を参照しつつ、本発明を具体化した実施の形態につき説明し、本発明の理解に供する。
図１（Ａ）は本発明の第１の実施の形態に係る濾過器付きコップ蓋の斜視図、（Ｂ）は同部分断面図、図２（Ａ）、（Ｃ）は本発明の第２の実施の形態に係る濾過器付きコップ蓋の斜視図、（Ｂ）は同平面図、図３（Ａ）は本発明の第３の実施の形態に係る濾過器付きコップ蓋の斜視図、（Ｂ）は同平面図、図４（Ａ）は本発明の第４の実施の形態に係る濾過器付きコップ蓋の斜視図、（Ｂ）は同平面図、図５（Ａ）は濾過部の第１具体例を示す平面図、（Ｂ）は同側断面図、図６（Ａ）は濾過部の第２具体例を示す平面図、（Ｂ）は同側断面図、図７（Ａ）は濾過部の第３具体例を示す平面図、（Ｂ）は同側断面図、図８（Ａ）は濾過部の第４具体例を示す平面図、（Ｂ）は同側断面図、図９（Ａ）は濾過部の第５具体例を示す平面図、（Ｂ）は同側断面図、図１０（Ａ）は濾過部の第６具体例を示す平面図、（Ｂ）は同側断面図、図１１（Ａ）、（Ｂ）は本発明の第５の実施の形態及びその変形例に係る濾過器付きコップ蓋の斜視図、図１２（Ａ）、（Ｂ）は本発明の第６の実施の形態及びその変形例に係る濾過器付きコップ蓋の斜視図、図１３（Ａ）は本発明の第６の実施の形態に係る濾過器付きコップ蓋の部分断面図、（Ｂ）〜（Ｄ）はコイルバネの説明図、図１４（Ａ）は本発明の第７の実施の形態に係る濾過器付きコップ蓋の説明図、（Ｂ）はその部分断面図、図１５（Ａ）は同濾過器付きコップ蓋の使用状態の説明図、（Ｂ）、（Ｃ）はその変形例に係る濾過器付きコップ蓋の説明図、図１６（Ａ）〜（Ｅ）は同濾過器付きコップ蓋の更なる変形例の部分断面図である。
【００１６】
図１（Ａ）、（Ｂ）に示す本発明の第１の実施の形態に係る濾過器付きコップ蓋１０は、薄いプラスチック又は金属からなって、コップ１１の上に被さるようになっている（以下の実施の形態でも同じ）。この実施の形態においては、コップ１１は紙又はプラスチック製の有底逆円錐台状の容器からなって、頂部が外側に折り曲げられて膨出部（カール部の一例）１２が形成されている。濾過器付きコップ蓋１０には、この円形の膨出部１２が嵌入する環状装着部１３が設けられている。この環状装着部１３は濾過器付きコップ蓋１０の周囲を断面逆Ｕ字状に折り曲げて形成され、外側壁には円周方向に内側に窪む複数の凹み（ロック機構の一例）１４が設けられ、一旦環状装着部１３に嵌入したコップ１１の膨出部１２が容易に抜けないようになっている。そして、膨出部１２の表面と環状装着部１３の内側壁が接して、内部の飲料の漏れるのを防止するシールが形成されている。
【００１７】
環状装着部１３の直内側には、半径方向に一定の幅を有する環状突出部１５を備えている。環状突出部１５の幅は、この濾過器付きコップ蓋１０の半径ｒに対して、例えば、０．１５ｒ〜０．３５ｒの範囲で形成されている。そして、環状突出部１５の一方の表面中央には、例えば、０．３〜１ｍｍの直径の円形孔からなる空気抜き孔１６が設けられ、環状突出部１５の他方の表面には、複数の小孔１８からなる濾過部１７が設けられている。即ち、環状突出部１５の表面に空気抜き孔１６と濾過部１７が対向して設けられている。
【００１８】
濾過部１７の詳細については後述するが、この実施の形態では、各小孔１８が三角形の開口からなって、その一端には開口を抜き落とした小片（目詰まり防止用突起の一例）１９が小孔１８の一部から内側（裏面側）に折れ曲がっている。この小片１９によって、小孔１８内に流れ込もうとする茶葉等の固形状物、異物が止められ、小孔１８の閉塞を起こすことなく飲料を流すことができる。小孔１８の数は、例えば６〜１０個程度が適切であるが、本発明はこれより少ない場合であっても多い場合であっても適用される。
【００１９】
環状突出部１５の内側には、平面視して円形の窪み２０が設けられているが、この窪み２０は必須の要件ではなく、例えば、環状突出部１５の表面をそのまま中心位置まで延長してもよい。この場合は、前記した環状突出部１５は実質的になくなるので、空気抜き孔１６及び濾過部１７は、円形突出部の両側に位置することになる（以下の実施の形態においても同様）。
【００２０】
使用にあっては、コップ１１内に好みの量のお茶又は紅茶の葉を入れてお湯を注ぎ、この濾過器付きコップ蓋１０を被せて短時間放置し、濾過部１７を下にして濾過器付きコップ蓋１０のコップ１１を斜めに倒すと、濾過部１７からお茶又は紅茶が排出される。飲む人の好みによるが、濾過部１７に口を付けてそのまま飲んでもよいし、場合によって別のコップ等に移して内容物を飲むことができる。この場合、お茶の葉又は紅茶の葉は、濾過部１７で濾されて出でこないことになる。
【００２１】
続いて、図２（Ａ）〜（Ｃ）に示す本発明の第２の実施の形態に係る濾過器付きコップ蓋２１について説明するが、図１に示す濾過器付きコップ蓋１０と同一の構成要素については同一の符号を付してその詳しい説明を省略する（以下の実施の形態でも同じ）。
この実施の形態に係る濾過器付きコップ蓋２１は環状突出部１５の一方に、空気抜き孔１６が、他方に濾過部２２が設けられている。この実施の形態では濾過部２２は直径が例えば１〜３ｍｍ程度の小孔２３を複数（例えば、６〜２０個）設けて形成されている。そして、環状突出部１５の外側の側壁２４には堰部２５が設けられている。
【００２２】
この堰部２５は、濾過部２２の内側面とは２〜３ｍｍの距離を離し、しかも、濾過部２２を内側から覆う広さを有している。堰部２５の厚みは１〜３ｍｍとなって、側壁２４を外側から内側に向けて窪めることによって形成され、２６はこの窪みの開口端を示す。この堰部２５を設けることによって、お茶又は紅茶の茶葉は、堰部２５で引っ掛かって、濾過部２２を閉塞しないので、濾過部２２から円滑にコップ１１内の飲料が排出される。
【００２３】
図３（Ａ）、（Ｂ）は、本発明の第３の実施の形態に係る濾過器付きコップ蓋２７を示すが、図に示すように、環状装着部１３の内側には、円形突出部２８が設けられ、その一部が欠けて段差部２９が設けられ、この段差部２９に濾過部３０が設けられている。濾過部３０は複数（例えば６〜２０）の小孔３１（詳細は以下に説明する）が設けられている。この濾過部３０と反対側の円形突出部２８には空気抜き孔１６が設けられている。この濾過器付きコップ蓋２７を使用する場合には、小孔３１によって茶葉等の固形部が分離されて、飲料が積極的に濾過部３０から排出される。
【００２４】
図４（Ａ）、（Ｂ）には、本発明の第４の実施の形態に係る濾過器付きコップ蓋３２を示すが、図に示すように、環状突出部１５の一部が欠けて段差部３３を有し、この部分に濾過部３４を備えている。濾過部３４は複数（６〜２０）の小孔３５（詳細は以下に説明する）からなっている。この濾過器付きコップ蓋３２を使用する場合には、小孔３５によって茶葉等の固形物が分離されて、飲料が積極的に濾過部３４から排出される。
【００２５】次に、図５〜図７を参照しながら、第１〜第４の実施の形態に係る濾過器付きコップ蓋１０、２１、２７、３２において使用した濾過部１７、２２、３０、３４に形成された小孔１８、２３、３１、３５について詳細に説明する。
図５（Ａ）、（Ｂ）には、第１の実施の形態に係る濾過器付きコップ蓋１０に使用した小孔１８を示すが、二等辺三角形の開口からなって、底辺３８に連結する小片１９が内側に例えば４５度〜９０度程度折れ曲がって小孔１８の一部の端部に設けられている。小片１９は開口（即ち、小孔１８）を打ち抜き形成したものである。
【００２６】
底辺３８の寸法は例えば１〜３ｍｍ、斜辺３９の寸法は約１〜５ｍｍ程度となっている。隣り合う小孔１８の隙間は０．５〜５ｍｍとなっている。濾過部１７には小孔１８が約６〜２０個程度設けられている。なお、この小孔１８を、第２〜第４の実施の形態に係る濾過器付きコップ蓋２１、２７、３２の濾過部２２、３０、３４に適用することは当然可能である。なお、第２の実施の形態に係る濾過器付きコップ蓋２１においては、濾過部２２の直下に堰部２５があるので、折れ曲がった小片１９がこの堰部２５に衝突しないようにしておく。この小片１９によって茶葉による小孔１８の閉塞を防ぐことができる。この実施の形態では、開口の形状を二等辺三角形としたが、他の三角形やその他の多角形（例えば、四角形）であっても本発明の濾過器付きコップ蓋の濾過部の小孔として使用できる。
【００２７】
図６（Ａ）、（Ｂ）には、第２の実施の形態に係る濾過器付きコップ蓋２１の濾過部２２に使用された小孔２３を示すが、前述のように、直径が１〜４ｍｍの貫通孔が多数密に配置されている。隣り合う小孔２３の間隔は０．５〜５ｍｍ程度である。この小孔２３は、第１、第３、第４の実施の形態に係る濾過器付きコップ蓋１０、２７、３２の小孔１８、３１、３５にも適用できる。この場合、茶葉の比重が大きくて飲料中に沈みやすいもの等に特に効果がある。
【００２８】
図７（Ａ）、（Ｂ）には、第３の実施の形態に係る濾過器付きコップ蓋２７の濾過部３０に設けられた小孔３１を示すが、隣り合う小孔３１の間に内側を向いた目詰まり防止用突起４０が設けられている。小孔３１の直径は例えば１〜４ｍｍであり、隣り合う小孔３１の隙間Ｃは１〜５ｍｍ程度であって、その間に目詰まり防止用突起４０が設けられている。目詰まり防止用突起４０の根元部分の直径は例えば１〜４ｍｍとなって、その長さは例えば１〜５ｍｍ程度となっている。
【００２９】
これによって、茶葉等がこの目詰まり防止用突起４０の頂部に引っ掛かって小孔３１の茶葉による閉塞を防止できる。なお、目詰まり防止用突起４０の先端は閉塞していてもよいし、開口していてもよい。この小孔３１及び目詰まり防止用突起４０を用いた濾過部３０は、第１、第２、第４の実施の形態に係る濾過器付きコップ蓋１０、２１、３２の濾過部１７、２２、３４にも適用できる。この小孔３１と目詰まり防止用突起４０との配列はランダムであり、必ずしも小孔３１の間に目詰まり防止用突起４０がなくてもよく、この場合であっても本発明が適用される。
【００３０】
図８（Ａ）、（Ｂ）には、別の具体例に係る濾過部４１を示すが、それぞれの小孔４２は細長い開口からなって、小孔４１の一部（一側）から内側に折れ曲げ形成された目詰まり防止用突起の一例である小片４４を有している。小片４４は小孔４２を部分抜きした片からなって、先部が半円状の小孔４２の基部が３０〜９０度の範囲で内側に折れ曲がって形成されている。小孔４２の幅は１〜４ｍｍ、隣り合う小孔４２の隙間は０．５〜５ｍｍとなっている。これによって、茶葉等の異物は、小片４４に引っ掛かり、小孔４２を閉塞しない。
【００３１】
図９（Ａ）、（Ｂ）には、他の具体例に係る濾過部４５を示すが、それぞれの小孔４６は矩形の開口からなって、その一部（即ち、一辺）に折り曲げた状態で取付けられた目詰まり防止用突起の一例である小片４８が設けられている。小片４８は小孔４６を部分抜きして形成されたものである。小孔４６の大きさは、約１〜４ｍｍ程度となって、隣り合う開口の隙間は０．５〜５ｍｍ程度となっている。これによって、茶葉等の異物は、小片４８に引っ掛かって、小孔４６を閉塞しないことになる。
【００３２】
図１０（Ａ）、（Ｂ）には、更に他の具体例に係る濾過部４９を示すが、濾過部４９は複数の小孔５０を有し、小孔５０は実質的に円形の開口からなって、小孔５０の周囲（即ち、小孔５０の周縁全部）に目詰まり防止用突起の一例である複数の折り曲げ片５２が設けられている。折り曲げ片５２は実質円形の小孔５０の軸心を中心にして複数（この例では８）に分けた二等辺三角形の片からなって、小孔５０に対して３０〜９０度の角度で裏面側に折り曲げられている。小孔５０の直径は１〜４ｍｍであり、その隙間は０．５〜５ｍｍ程度である。これによって、茶葉等の異物は、折り曲げ片５２に引っ掛かる。
【００３３】
図８〜図１０に示す濾過部４１、４５、４９は第１〜第４の実施の形態に係る濾過器付きコップ蓋１０、２１、２７、３２の濾過部１７、２２、３０、３４に適用することは当然可能であり、例えば、図５〜図１０に示した濾過部を組み合わせて、濾過器付きコップ蓋の濾過部とすることもできる。いずれの場合であっても、茶葉等の異物はこれらの濾過部によって除去できる。
【００３４】
続いて、図１１（Ａ）に示す本発明の第５の実施の形態に係る濾過器付きコップ蓋５４について説明するが、周囲の環状装着部１３の内側に、偏心して突出部５５が設けられ、この突出部５５に濾過部５６が設けられている。この濾過部５６は突出しているので、注ぎ口として有効であるが、直接口を付けて飲料物を飲む飲み口にもなる。なお、濾過部５６の反対側位置には空気抜き孔５７が設けられている。
【００３５】
図１１（Ｂ）には、濾過器付きコップ蓋５４の変形例に係る濾過器付きコップ蓋５８が示されているが、環状装着部１３の内側に偏って配置される突出部５９が円弧状となっている。突出部５９の上面は平面状となって、濾過部６０が設けられている。
前記した濾過部５６、６０には、図５（Ａ）、（Ｂ）に示した濾過部１７、図６に示した濾過部２２、図７に示した濾過部３０、図８に示した濾過部４１、図９に示した濾過部４５、図１０に示した濾過部４９のいずれであっても使用することができる。
【００３６】
図１２（Ａ）、図１３（Ａ）に本発明の第６の実施の形態に係る濾過器付きコップ蓋６１を示すが、図に示すように、コップの上端に装着する環状装着部１３の内側に、環状突出部６２が設けられ、その一部が大きくなって貫通孔からなる飲み口６３が設けられている。この飲み口６３の内側には、飲み口６３と一体となって濾過部を構成する螺旋状物の一例でるコイルバネ６４が設けられている。このコイルバネ６４の形状としては、例えば、図１３（Ａ）に示すように円筒状となっていてもよいが、図１３（Ｂ）、（Ｃ）に示すように、円錐状又は円錐台状のコイルスプリング６４ａであってもよく、場合によっては、図１３（Ｄ）に示すように、楕円錐状のコイルスプリング６５であってもよい。
【００３７】
濾過器付きコップ蓋６１の変形例に係る濾過器付きコップ蓋６６を図１２（Ｂ）に示すが、環状装着部１３の内側に円形突出部６７を有し、この円形突出部６７の一方側に偏って飲み口６８が設けられ、飲み口６８の内側に、前記した螺旋状物が設けられている。
なお、この飲み口６８の反対側の位置には、図示しない空気抜き孔が設けられているが、飲み口が十分に大きい開口面積を有する場合には、空気抜き孔は省略することができる。
また、螺旋状物の材質は、金属であってもよいが、プラスチック等で構成するのが好ましく、更に飲み口を塞ぐ部分に螺旋状の切り込みを入れて、下側に引伸しコイルバネを構成してもよい。
【００３８】
続いて、図１４（Ａ）、（Ｂ）に示す本発明の第７の実施の形態に係る濾過器付きコップ蓋７０について説明するが、図に示すように、この濾過器付きコップ蓋７０は、コップ７１に被せ、しかも一方には飲み口７２を他方には空気抜き孔７３を有する蓋本体７４と、蓋本体７４の直下部に設けられるフィルター部材７５とを有する。
フイルター部材７５の周囲には、コップ７１の上端に装着される環状装着部７６を備え、内側には、フイルター７７が設けられている。この実施の形態では、フィルター７７は不織布（又は織布）からなっているが、プラスチック素材に多数の小孔を形成したものであってもよい。
【００３９】
前記蓋本体７４は、フイルター部材７５の環状装着部７６が下から入り込む別の環状装着部７８を周囲に有し、この環状装着部７８の内側にある円形突出部７９の一方側には飲み口（注ぎ口ともなる）７２が形成されている。
従って、この濾過器付きコップ蓋７０を使用する場合には、コップ７１の上にフイルター部材７５を被せ、次に蓋本体７４を被せる。そして、飲み口７２が下になるようにしてコップ７１を傾けると、コップ７１内の飲用物（例えば、お茶、紅茶等）が飲み口７２からでる。この場合、飲用物内に混入する茶葉等の異物は、フイルター部材７５で濾過され、飲み口７２から出ない。
【００４０】
図１５（Ａ）は、前記濾過器付きコップ蓋７０の使用状態を概念的に示した断面図であるが、コップ７１の上縁周囲に形成された膨出部８０に、フイルター部材７５の環状装着部７６と、蓋本体７４の環状装着部７８を重ねて装着している。図１５（Ｂ）、（Ｃ）に、この濾過器付きコップ蓋７０の変形例に係る濾過器付きコップ蓋８１を示すが、図に示すように、コップ７１に被さる蓋本体８２の内側に、フイルター部材８３の装着部８４を設けて、蓋本体８２にフイルター部材８３を取付け、このフイルター部材８３の取付けられた蓋本体８２を、周囲の環状装着部８５を介してコップ７１の膨出部８０に被せるようにしている。
【００４１】
なお、８６、８７は側壁８８、８９に設けられた凹みを示し、一旦装着されたフイルター部材８３の抜けを防止し、更にコップ７１に被せた蓋本体８２の抜けを防止している。また、この実施の形態においても、飲み口の孔が大きい場合には、空気抜き孔は省略することもできる。
また、図１６（Ａ）〜（Ｅ）に示すように、周縁の異なったフイルター部材８３ａ〜８３ｅであっても本発明は適用される。この場合、内側のフィルターとある程度硬質に形成されている周縁とは一体物であってもよいし、別物を接合したものであってもよい。
【００４２】
また、前記実施の形態において、フイルター部材８３、８３ａ〜８３ｅと蓋本体８２とは分離可能であったが、これらを一体化することもできる。この場合、フイルター部材は環状装着部８５の内側又はその上側、例えば、装着部８４とフイルター部材の周囲を一体化させることになる。
【００４３】
前記実施の形態においては、理解を容易にするため、具体的に寸法や数を示して実施の形態を説明したが、本発明の要旨を変更しない範囲でその寸法や数を変更する場合も本発明の権利範囲に含まれる。
また、前記それぞれの実施の形態に係る発明の一部を組み合わせて構成した濾過器付きコップ蓋であっても本発明の権利範囲に含まれる。
そして、前記実施の形態は、単なる逆円錐台状のコップに適用した場合について説明したが、通常のコーヒー等のコップ、ガラスやクリスタル製のコップに本発明に係る濾過器付きコップ蓋を使用する場合も当然本発明の権利範囲に含まれる。
【００４４】
【発明の効果】
請求項１〜１０及びこれに従属する請求項１４記載の濾過器付きコップ蓋は、一方に空気抜き孔を、他方に複数の小孔を有する濾過部が設けられているので、この濾過部によって飲料中に入っている固形状物（例えば、お茶や紅茶の葉）を除去できる。
【００４５】
特に、請求項２記載の濾過器付きコップ蓋は、それぞれの小孔の周縁の一部には、裏面側に目詰まり防止用突起が設けられ、請求項３記載の濾過器付きコップ蓋においては、それぞれの小孔の周縁の全部には、裏面側に目詰まり防止用突起が設けられているので、飲料中の固形状物が目詰まり防止用突起に引っ掛かり、小孔の閉塞を防止する。
従って、濾過部の目詰まりが確実に防止される。
【００４６】
請求項４記載の濾過器付きコップ蓋は、目詰まり防止用突起は、小孔を打ち抜いた小片からなる。これによって、簡単に小孔と目詰まり防止用突起とを形成でき、結果として安価の濾過器付きコップ蓋を提供できる。
請求項５記載の濾過器付きコップ蓋は、小孔とは別に、各小孔の間に目詰まり防止用突起が設けられているので、固形状物が目詰まり防止用突起に引っ掛かり、小孔の閉塞を防止できる。
【００４７】
請求項６記載の濾過器付きコップ蓋は、飲み口の内側に螺旋状物が設けられているので、これによって固形状物が引っ掛かって濾過が行え、しかも、その構造が簡単である。
請求項７記載の濾過器付きコップ蓋は、コップの上端に嵌入してシールを行う環状装着部と、環状装着部の直内側にある環状突出部とを有し、空気抜き孔は、環状突出部の一方に、濾過部は、環状突出部の他方に設けられているので、確実に飲料中の固形物を排除できて、濾過部の目詰まりを防止できる。
【００４８】
請求項８記載の濾過器付きコップ蓋は、濾過部がある側の環状突出部の側壁は内側に窪んだ堰部が設けられている。これによって、飲料より比重の大きい固形状物は、堰部に引っ掛かって、小孔がこの固形状物によって塞がれるのを防止できる。
【００４９】
請求項９記載の濾過器付きコップ蓋は、濾過部は、コップの上端に嵌入してシールを行う環状装着部の内側に突出して設けられ、請求項１０記載の濾過器付きコップ蓋は、濾過部は環状装着部の内側に偏心して設けられているので、これを注ぎ口とした場合には注ぎやすく、飲み口とした場合にはこの部分が口に入り飲みやすい。
【００５０】
請求項１１〜１３記載の濾過器付きコップ蓋は、コップに被せ、しかも上部に飲み口を有する蓋本体と、蓋本体の直下部にあるフィルター部材とを有しているので、固形状物を確実にフイルター部材で濾過でき、濾過された飲料物を飲み口から放出するので、飲みやすく、更に注ぎ易い。
請求項１２記載の濾過器付きコップ蓋は、蓋本体及びフィルター部材の双方は周囲に、コップの上端に装着される環状装着部をそれぞれ有するので、双方がコップに装着でき、繰り返し使用する場合には、片側のみを交換して使用することもできる。
【００５１】
また、請求項１３記載の濾過器付きコップ蓋は、蓋本体の周囲にはコップの上端に装着される環状装着部を有し、フィルター部材は、蓋本体に取付けられているので、濾過器付きコップ蓋の取付けが容易であり、更に、コップとのシールもよい。
そして、請求項１４記載の濾過器付きコップ蓋は、環状装着部には、コップの上端に外側に折り返して形成されたカール部を掛止するロック機構が形成されている。これによって、蓋を確実にコップに固定することができる。
【図面の簡単な説明】
【図１】（Ａ）は本発明の第１の実施の形態に係る濾過器付きコップ蓋の斜視図、（Ｂ）は同部分断面図である。
【図２】（Ａ）、（Ｃ）は本発明の第２の実施の形態に係る濾過器付きコップ蓋の斜視図、（Ｂ）は同平面図である。
【図３】（Ａ）は本発明の第３の実施の形態に係る濾過器付きコップ蓋の斜視図、（Ｂ）は同平面図である。
【図４】（Ａ）は本発明の第４の実施の形態に係る濾過器付きコップ蓋の斜視図、（Ｂ）は同平面図である。
【図５】（Ａ）は濾過部の第１具体例を示す平面図、（Ｂ）は同側断面図である。
【図６】（Ａ）は濾過部の第２具体例を示す平面図、（Ｂ）は同側断面図である。
【図７】（Ａ）は濾過部の第３具体例を示す平面図、（Ｂ）は同側断面図である。
【図８】（Ａ）は濾過部の第４具体例を示す平面図、（Ｂ）は同側断面図である。
【図９】（Ａ）は濾過部の第５具体例を示す平面図、（Ｂ）は同側断面図である。
【図１０】（Ａ）は濾過部の第６具体例を示す平面図、（Ｂ）は同側断面図である。
【図１１】（Ａ）、（Ｂ）は本発明の第５の実施の形態及びその変形例に係る濾過器付きコップ蓋の斜視図である。
【図１２】（Ａ）、（Ｂ）は本発明の第６の実施の形態及びその変形例に係る濾過器付きコップ蓋の斜視図である。
【図１３】（Ａ）は本発明の第６の実施の形態に係る濾過器付きコップ蓋の部分断面図、（Ｂ）〜（Ｄ）はコイルバネの説明図である。
【図１４】（Ａ）は本発明の第７の実施の形態に係る濾過器付きコップ蓋の説明図、（Ｂ）はその部分断面図である。
【図１５】（Ａ）は同濾過器付きコップ蓋の使用状態の説明図、（Ｂ）、（Ｃ）はその変形例に係る濾過器付きコップ蓋の説明図である。
【図１６】（Ａ）〜（Ｅ）は同濾過器付きコップ蓋の更なる変形例の部分断面図である。
【符号の説明】
１０：濾過器付きコップ蓋、１１：コップ、１２：膨出部、１３：環状装着部、１４：凹み、１５：環状突出部、１６：空気抜き孔、１７：濾過部、１８：小孔、１９：小片、２０：窪み、２１：濾過器付きコップ蓋、２２：濾過部、２３：小孔、２４：側壁、２５：堰部、２６：開口端、２７：濾過器付きコップ蓋、２８：円形突出部、２９：段差部、３０：濾過部、３１：小孔、３２：濾過器付きコップ蓋、３３：段差部、３４：濾過部、３５：小孔、３８：底辺、３９：斜辺、４０：目詰まり防止用突起、４１：濾過部、４２：小孔、４４：小片、４５：濾過部、４６：小孔、４８：小片、４９：濾過部、５０：小孔、５２：折り曲げ片、５４：濾過器付きコップ蓋、５５：突出部、５６：濾過部、５７：空気抜き孔、５８：濾過器付きコップ蓋、５９：突出部、６０：濾過部、６１：濾過器付きコップ蓋、６２：環状突出部、６３：飲み口、６４：コイルバネ、６４ａ：コイルスプリング、６５：コイルスプリング、６６：濾過器付きコップ蓋、６７：円形突出部、６８：飲み口、７０：濾過器付きコップ蓋、７１：コップ、７２：飲み口、７３：空気抜き孔、７４：蓋本体、７５：フィルター部材、７６：環状装着部、７７：フイルター、７８：環状装着部、７９：円形突出部、８０：膨出部、８１：濾過器付きコップ蓋、８２：蓋本体、８３、８３ａ〜８３ｅ：フイルター部材、８４：装着部、８５：環状装着部、８６、８７：凹み、８８、８９：側壁
【図１】
2004238037.tif 000003
【図２】
2004238037.tif 000004
【図３】
2004238037.tif 000005
【図４】
2004238037.tif 000006
【図５】
2004238037.tif 000007
【図６】
2004238037.tif 000008
【図７】
2004238037.tif 000009
【図８】
2004238037.tif 000010
【図９】
2004238037.tif 000011
【図１０】
2004238037.tif 000012
【図１１】
2004238037.tif 000013
【図１２】
2004238037.tif 000014
【図１３】
2004238037.tif 000015
【図１４】
2004238037.tif 000016
【図１５】
2004238037.tif 000017
【図１６】
2004238037.tif 000018